(57)【要約】【課題】  メディアデータを記録したＤＶＤビデオカメラのディスク記録媒体に対するファイナライズ処理前でも、そのメディアデータを、ネットワーク上のメディアプレーヤに迅速にかつ再生可能とすることができる。【解決手段】  検知した撮像装置から、該撮像装置のディスク記録媒体上に記録されている画像ファイルと、画像ファイルのディスク記録媒体上の記録位置を含む管理情報と、管理情報のバックアップ情報を含むメディアデータを受信する。受信したメディアデータを用いて、ディスク記録媒体のファイナライズ処理を仮想的に実行し、生成されるディスクイメージをメモリ上に記憶する。データ受信端末からの要求に応じて、メモリ上の仮想的なディスクイメージのメディアデータを通信部を介して該データ受信端末へ送信する。【選択図】  図６
2008300985.tif 000002
【特許請求の範囲】
【請求項１】
ディスク記録媒体にメディアデータを記録するディスク記録部を備える撮像装置を接続して、該撮像装置のディスク記録媒体に記録されたメディアデータをネットワーク上のデータ受信端末へ配信するアダプタ装置であって、
前記ネットワーク上の前記データ受信端末との通信を行うための通信手段と、
前記撮像装置の接続を検知する検知手段と、
前記検知手段によって検知した前記撮像装置から、該撮像装置のディスク記録媒体上に記録されている画像ファイルと、前記画像ファイルの前記ディスク記録媒体上の記録位置を含む管理情報と、前記管理情報のバックアップ情報を含むメディアデータを受信する受信手段と、
前記受信手段で受信したメディアデータを用いて、前記ディスク記録媒体のファイナライズ処理を仮想的に実行し、生成されるディスクイメージをメモリ上に記憶する仮想ファイナライズ処理手段と
前記データ受信端末からの要求に応じて、前記メモリ上の前記仮想的なディスクイメージのメディアデータを前記通信手段を介して該データ受信端末へ送信する送信手段と
を備えることを特徴とするアダプタ装置。
【請求項２】
前記仮想ファイナライズ処理手段は、前記ディスクイメージとして、前記受信手段で受信した前記メディアデータと、コンピュータによるファイル管理システム及びＤＶＤビデオフォーマットのファイル管理システムを有するディスクイメージを前記メモリ上に生成する
ことを特徴とする請求項１に記載のアダプタ装置。
【請求項３】
前記受信手段は、更に、前記撮像装置から、コンピュータによるファイル管理システムに対する制御情報とＤＶＤビデオフォーマットのファイル管理システムに対する制御情報を受信する
ことを特徴とする請求項２に記載のアダプタ装置。
【請求項４】
前記データ受信端末の要求に応じて、前記撮像装置に対して、該撮像装置のディスク記録媒体のファイナライズ処理の実行指示を送信する実行指示送信手段を更に備える
ことを特徴とする請求項１に記載のアダプタ装置。
【請求項５】
ディスク記録媒体にメディアデータを記録するディスク記録部を備える撮像装置を接続して、該撮像装置のディスク記録媒体に記録されたメディアデータをネットワーク上のデータ受信端末へ配信するアダプタ装置の制御方法であって、
検知手段が、前記撮像装置の接続を検知する検知工程と、
受信手段が、前記検知工程によって検知した前記撮像装置から、該撮像装置のディスク記録媒体上に記録されている画像ファイルと、前記画像ファイルの前記ディスク記録媒体上の記録位置を含む管理情報と、前記管理情報のバックアップ情報を含むメディアデータを受信する受信工程と、
仮想ファイナライズ処理手段が、前記受信工程で受信したメディアデータを用いて、前記ディスク記録媒体のファイナライズ処理を仮想的に実行し、生成されるディスクイメージをメモリ上に記憶する仮想ファイナライズ処理工程と
送信手段が、前記データ受信端末からの要求に応じて、前記メモリ上の前記仮想的なディスクイメージのメディアデータを該データ受信端末へ送信する送信工程と
を備えることを特徴とするアダプタ装置の制御方法。
【請求項６】
ディスク記録媒体にメディアデータを記録するディスク記録部を備える撮像装置を接続して、該撮像装置のディスク記録媒体に記録されたメディアデータをネットワーク上のデータ受信端末へ配信するアダプタ装置の制御をコンピュータに実行させるためのコンピュータプログラムであって、
前記撮像装置の接続を検知する検知工程と、
前記検知工程によって検知した前記撮像装置から、該撮像装置のディスク記録媒体上に記録されている画像ファイルと、前記画像ファイルの前記ディスク記録媒体上の記録位置を含む管理情報と、前記管理情報のバックアップ情報を含むメディアデータを受信する受信工程と、
前記受信工程で受信したメディアデータを用いて、前記ディスク記録媒体のファイナライズ処理を仮想的に実行し、生成されるディスクイメージをメモリ上に記憶する仮想ファイナライズ処理工程と
前記データ受信端末からの要求に応じて、前記メモリ上の前記仮想的なディスクイメージのメディアデータを該データ受信端末へ送信する送信工程と
をコンピュータに実行させるためのコンピュータプログラム。
【発明の詳細な説明】
【技術分野】
【０００１】
本発明は、撮像装置のディスク記録媒体に記録されたメディアデータをネットワーク上のデータ受信端末へ配信するアダプタ装置及びその制御方法、コンピュータプログラムに関するものである。
【背景技術】
【０００２】
近年、デジタルビデオカメラの分野では、テープに代わり、ＤＶＤ等の光ディスクを記録媒体（以下、ディスク記録媒体）として、動画や静止画を記録するディスクビデオカメラが主流となってきている。ディスク記録媒体としてＤＶＤを使用した場合、記録フォーマットとしては、一般のＤＶＤプレーヤーと互換性の高いＤＶＤ−Ｖｉｄｅｏフォーマットがある。また、別の記録フォーマットとして、一般のＤＶＤプレーヤーでは再生できない機種もあるが録画した画像の編集が容易であるＤＶＤ−ＶＲフォーマット等がある。そして、ユーザは、これらの記録フォーマットを用途に応じて切り替えて用いることになる。
【０００３】
また、最近、ホームネットワークにおいて、ディジタルＡＶ機器同士やパソコンを相互に接続し、動画、音楽、静止画のデータを相互利用する仕様を策定するために、ＤＬＮＡという技術仕様が規定されている。ここで、ＤＬＮＡは、Ｄｉｇｉｔａｌ  Ｌｉｖｉｎｇ  Ｎｅｔｗｏｒｋ  Ａｌｌｉａｎｃｅの略称である。
【０００４】
ＤＬＮＡガイドラインでは、コンテンツを提供するサーバをＤＭＳ（ｄｉｇｉｔａｌ  ｍｅｄｉａ  ｓｅｒｖｅｒ）、コンテンツを再生するクライアントをＤＭＰ（ｄｉｇｉｔａｌ  ｍｅｄｉａ  ｐｌａｙｅｒ）と呼び、これらの機器間の接続条件を定めている。このＤＬＮＡガイドラインに準拠した機器同士なら、単に、線をつなぐだけで特別な設定なしに相互接続してコンテンツ（動画、音楽、静止画ファイル等）を共用できるようになる。
【０００５】
例えば、ＤＭＳ機能付きカメラアダプタにデジタルカメラやＤＶＤビデオカメラ等のカメラを接続すると、そのカメラの記録媒体に記録したコンテンツにＬＡＮ経由でアクセスし、ネットワークメディアプレーヤー（ＤＭＰ）で再生することが可能となる。この場合、ＬＡＮ経由でディスク記録媒体上のメディアデータ（動画あるいは静止画ファイル等）を配信させる場合には、ネットワークメディアプレーヤーに対して、ディスク記録媒体に記録されているメディアデータをアクセス可能な状態にしなければならない。
【０００６】
このメディアデータをアクセス可能な状態にするためには、このメディアデータを、一般のＤＶＤプレーヤーで再生可能なデータ配列にし、さらに再生専用のＤＶＤ−ＲＯＭと互換のあるデータ配列としたＵＤＦファイルシステムフォーマットにする必要がある。これらの一連の処理をファイナライズ処理（例えば、特許文献１）という。現在、光ディスクを扱うほとんどの機器には、このファイナライズ処理を行うことによって、互換性を維持している。
【０００７】
図７にＤＶＤ−Ｖｉｄｅｏフォーマット（ＤＶＤビデオフォーマット）のデータ配列を示す。
【０００８】
光ディスクでは、その内側より、先頭からＰＭＡ（Ｐｒｏｇｒａｍｍａｂｌｅ  Ｍｅｍｏｒｙ  Ａｒｅａ）、リードイン、データエリア、リードアウトに区切られる。そして、データエリアの位置に動画ファイル等が記録される。また、データエリアは、リードイン側から、ＵＤＦ−Ｂｒｉｄｇｅファイルシステム（以後、ＵＤＦ）領域、ＶＭＧ（Ｖｉｄｅｏ  Ｍａｎａｇｅｒ）領域（ディスクの制御情報）、映像データ記録エリアに区分される。
【０００９】
ＵＤＦ領域及びＶＭＧ領域は、光ディスクに記録された映像データによるファイルを管理するための制御情報記録領域である。ＶＭＧ領域には、ＤＶＤプレーヤーに対する情報を記録する領域で、映像データ記録エリアに記録された映像データ全体を管理する制御情報が記録されている。ＵＤＦ領域には、ＰＣ等の情報機器（コンピュータ）におけるファイルシステムとの互換を図るフォーマットによって、映像データ記録エリアに記録された映像データ全体を管理する制御情報が記録されている。
【００１０】
映像データ記録エリアは、実際の映像データを記録するプログラムエリアであり、ＶＴＳ（Ｖｉｄｅｏ  Ｔｉｔｌｅ  Ｓｅｔ）を単位として、複数のＶＴＳ＃１〜＃ｎからなる映像データが記録される。ここで、１つのＶＴＳは、先頭よりＶＴＳＩ、ＶＴＳＭ＿ＶＯＢＳ、ＶＴＳＴＴ＿ＶＯＢＳ、ＶＴＳＩ＿ＢＵＰによって構成される。
【００１１】
ここで、ＶＴＳＩは、Ｖｉｄｅｏ  Ｔｉｔｌｅ  Ｓｅｔ  Ｉｎｆｏｒｍａｔｉｏｎ、ＶＴＳＭ＿ＶＯＢＳは、Ｖｉｄｅｏ  Ｏｂｊｅｃｔ  Ｓｅｔ  ｆｏｒ  ＶＴＳＭの略称である。また、ＶＴＳＴＴ＿ＶＯＢＳは、Ｖｉｄｅｏ  Ｏｂｊｅｃｔ  Ｓｅｔ  ｆｏｒ  Ｔｉｔｌｅｓ  ｉｎ  ＶＴＳ、ＶＴＳＩ＿ＢＵＰは、Ｂａｃｋｕｐ  ｏｆ  ＶＴＳＩの略称である。
【００１２】
ＶＴＳＩには、映像の再生に必要なタイトル管理情報であり、かつ映像データを管理する情報である記録位置情報等が記録される。ＶＴＳＭ＿ＶＯＢＳには、映像データのタイトルメニューが記録される。ＶＴＳＴＴ＿ＶＯＢＳには、映像データの実データであるＭＰＥＧ２ＰＳのフォーマットによる動画ファイルが記録される。ＶＴＳＩ＿ＢＵＰには、ＶＴＳＩのバックアップ情報である。
【００１３】
このようなフォーマットによって記録された光ディスクにおいて、ＰＣ等の情報機器によりアクセスする場合には、ＵＤＦ領域を参照して必要なファイルを検索して再生することができるようになっている。一方、ＤＶＤプレーヤーによりアクセスする場合には、ＶＭＧ領域を参照して必要なファイルを検索して再生することができるようになっている。
【特許文献１】特開２００４−２２０４３号公報
【発明の開示】
【発明が解決しようとする課題】
【００１４】
しかしながら、上述のように、ＤＶＤビデオカメラで撮影した動画あるいは静止画ファイルを家庭内のＬＡＮ経由で、ネットワークメディアプレーヤーで再生させようとする場合、撮影した動画あるいは静止画ファイルはファイナライズ処理されていない。そのため、ネットワークメディアプレーヤーでは、ＤＶＤビデオカメラのＤＶＤディスクに記録されている動画あるいは静止画ファイルに対してアクセスできない。
【００１５】
ファイナライズ処理を行うには、対象とするデータを、一般のＤＶＤプレーヤーで再生可能なデータ配列にして、さらに再生専用のＤＶＤ−ＲＯＭと互換のあるデータ配列としたＵＤＦファイルシステムフォーマットにする必要がある。また、完全互換を維持するために、記録データ量が少ない場合でも１ＧＢ程度までダミーデータをＤＶＤディスク上に記録する必要があり、かなりの処理時間を要することになる。更に、データが既に記録されている光ディスクに更なるデータを追記させる場合には、ファイナライズ処理を解除する処理を行わなければならず、手間のかかる作業となる。
【００１６】
また、記録に使用する光ディスクをＤＶＤ−Ｒ等のライトワンスのディスク記録媒体を使用した場合に、そのディスク記録媒体にファイナライズ処理を行うと、記録容量に余裕があってもその後、追記ができなくなってしまう。
【００１７】
本発明は上記の課題を解決するためになされたものである。その目的は、メディアデータを記録したＤＶＤビデオカメラのディスク記録媒体に対するファイナライズ処理前でも、そのメディアデータを、ネットワーク上のメディアプレーヤに迅速にかつ再生可能とすることである。この目的は、ＤＶＤビデオカメラを接続するアダプタ装置及びその制御方法、コンピュータプログラムによって提供する。
【課題を解決するための手段】
【００１８】
上記の目的を達成するための本発明によるアダプタ装置は以下の構成を備える。即ち、
ディスク記録媒体にメディアデータを記録するディスク記録部を備える撮像装置を接続して、該撮像装置のディスク記録媒体に記録されたメディアデータをネットワーク上のデータ受信端末へ配信するアダプタ装置であって、
前記ネットワーク上の前記データ受信端末との通信を行うための通信手段と、
前記撮像装置の接続を検知する検知手段と、
前記検知手段によって検知した前記撮像装置から、該撮像装置のディスク記録媒体上に記録されている画像ファイルと、前記画像ファイルの前記ディスク記録媒体上の記録位置を含む管理情報と、前記管理情報のバックアップ情報を含むメディアデータを受信する受信手段と、
前記受信手段で受信したメディアデータを用いて、前記ディスク記録媒体のファイナライズ処理を仮想的に実行し、生成されるディスクイメージをメモリ上に記憶する仮想ファイナライズ処理手段と
前記データ受信端末からの要求に応じて、前記メモリ上の前記仮想的なディスクイメージのメディアデータを前記通信手段を介して該データ受信端末へ送信する送信手段と
を備える。
【００１９】
また、好ましくは、前記仮想ファイナライズ処理手段は、前記ディスクイメージとして、前記受信手段で受信した前記メディアデータと、コンピュータによるファイル管理システム及びＤＶＤビデオフォーマットのファイル管理システムを有するディスクイメージを前記メモリ上に生成する。
【００２０】
また、好ましくは、前記受信手段は、更に、前記撮像装置から、コンピュータによるファイル管理システムに対する制御情報とＤＶＤビデオフォーマットのファイル管理システムに対する制御情報を受信する。
【００２１】
また、好ましくは、前記データ受信端末の要求に応じて、前記撮像装置に対して、該撮像装置のディスク記録媒体のファイナライズ処理の実行指示を送信する実行指示送信手段を更に備える。
【００２２】
上記の目的を達成するための本発明によるアダプタ装置の制御方法は以下の構成を備える。即ち、
ディスク記録媒体にメディアデータを記録するディスク記録部を備える撮像装置を接続して、該撮像装置のディスク記録媒体に記録されたメディアデータをネットワーク上のデータ受信端末へ配信するアダプタ装置の制御方法であって、
検知手段が、前記撮像装置の接続を検知する検知工程と、
受信手段が、前記検知工程によって検知した前記撮像装置から、該撮像装置のディスク記録媒体上に記録されている画像ファイルと、前記画像ファイルの前記ディスク記録媒体上の記録位置を含む管理情報と、前記管理情報のバックアップ情報を含むメディアデータを受信する受信工程と、
仮想ファイナライズ処理手段が、前記受信工程で受信したメディアデータを用いて、前記ディスク記録媒体のファイナライズ処理を仮想的に実行し、生成されるディスクイメージをメモリ上に記憶する仮想ファイナライズ処理工程と
送信手段が、前記データ受信端末からの要求に応じて、前記メモリ上の前記仮想的なディスクイメージのメディアデータを該データ受信端末へ送信する送信工程と
を備える。
【００２３】
上記の目的を達成するための本発明によるコンピュータプログラムは以下の構成を備える。即ち、
ディスク記録媒体にメディアデータを記録するディスク記録部を備える撮像装置を接続して、該撮像装置のディスク記録媒体に記録されたメディアデータをネットワーク上のデータ受信端末へ配信するアダプタ装置の制御をコンピュータに実行させるためのコンピュータプログラムであって、
前記撮像装置の接続を検知する検知工程と、
前記検知工程によって検知した前記撮像装置から、該撮像装置のディスク記録媒体上に記録されている画像ファイルと、前記画像ファイルの前記ディスク記録媒体上の記録位置を含む管理情報と、前記管理情報のバックアップ情報を含むメディアデータを受信する受信工程と、
前記受信工程で受信したメディアデータを用いて、前記ディスク記録媒体のファイナライズ処理を仮想的に実行し、生成されるディスクイメージをメモリ上に記憶する仮想ファイナライズ処理工程と
前記データ受信端末からの要求に応じて、前記仮想的なディスクイメージのメディアデータを該データ受信端末へ送信する送信工程と
をコンピュータに実行させる。
【発明の効果】
【００２４】
本発明によれば、メディアデータを記録したＤＶＤビデオカメラのディスク記録媒体に対するファイナライズ処理前でも、そのメディアデータを、ネットワーク上のメディアプレーヤに迅速にかつ再生可能とすることができる。
【発明を実施するための最良の形態】
【００２５】
以下、本発明の実施の形態について図面を用いて詳細に説明する。
【００２６】
尚、以下では、説明に用いる画像ファイル（動画あるいは静止画ファイル）、音声ファイルを総称する場合には、メディアデータと呼ぶことにする。
【００２７】
図１は本発明の実施形態のメディアデータ配信システムのネットワーク接続構成図である。
【００２８】
メディアデータ配信システムでは、ＤＶＤビデオカメラ２００、カメラアダプタ１００、ディスプレイアダプタ端末３００、ディスプレイ３０１、ストレージサーバ４００及びプリンタ端末５００が、家庭内のＬＡＮ７００を介して接続されて構成されている。
【００２９】
ここで、ＤＶＤビデオカメラ２００は、ディスク記録媒体にメディアデータを記録するディスク記録部を備える撮像装置として機能する。
【００３０】
ＤＶＤビデオカメラ２００は、通常、外出時にバッテリを装着して持ち出して撮影を行い、帰宅時にカメラアダプタ１００に接続する。カメラアダプタ１００は、ＤＶＤビデオカメラ２００の撮影画像をリアルタイムに動画ストリームとして、無線アクセスポイント６００を介してディスプレイアダプタ端末３００に配信できる。また、カメラアダプタ１００は、ＤＶＤビデオカメラ２００で光ディスク（ＤＶＤ−ＲやＤＶＤ−ＲＷ等）に記録したメディアデータを、無線アクセスポイント６００を介してディスプレイアダプタ端末３００に配信できる。
【００３１】
無線アクセスポイント６００は、カメラアダプタ１００との間で無線通信を行い、パケット通信網であるＬＡＮ７００との接続を仲介する。リモートコントローラ３０２は、ディスプレイアダプタ端末３００の操作を行い、さらにＬＡＮ７００、無線アクセスポイント６００を介してＤＶＤビデオカメラ２００を装着したカメラアダプタ１００を操作することができる。
【００３２】
ディスプレイアダプタ端末３００は、ＤＶＤビデオカメラ２００に組み込まれている光ディスクに記録されている、またはカメラアダプタ１００のメモリ部に蓄積されているメディアデータが読み出されて配信されるデータストリームを受信する。そして、ディスプレイアダプタ端末３００は、受信したデータストリーム（様々なフォーマットによって符号化されている）を復号して画像を再生し、接続されているディスプレイ３０１へ表示する。
【００３３】
プリンタ端末５００は、ＤＶＤビデオカメラ２００及びカメラアダプタ１００から配信される各メディアデータのデータストリームを受信し、そのメディアデータ（様々なフォーマットによって符号化されている）を復号化して画像を再生し、印刷する。ストレージサーバ４００は、ＤＶＤビデオカメラ２００の撮影画像をＬＡＮ７００経由で記録し、さらに、画像の管理や検索等を実現する電子アルバムや動画編集等のアプリケーションを備える。
【００３４】
次に、このメディアデータ配信システムの構成において、ＤＶＤビデオカメラ２００及びカメラアダプタ１００の各機能の詳細を説明する。
【００３５】
図２は本発明の実施形態のＤＶＤビデオカメラの詳細を示すブロック構成図である。
【００３６】
図２のＤＶＤビデオカメラ２００において、撮像部２０１は、ＣＣＤセンサやＣＭＯＳセンサ等の撮像素子で光電変換された信号に信号処理を施し、画像処理部２０３へ出力する。画像処理部２０３は、撮像部２０１からのデジタル画像信号に対して画素補間や色変換処理等の画像処理を行う。また、画像処理部２０３は、撮像部２０１からのデジタル画像信号を用いて演算処理を行い、システム制御部２１５から得られる演算結果に基づいて、ＡＦ、ＡＥ処理を行う。更に、画像処理部２０３は、撮像部２０１からのデジタル画像信号を用いて演算処理を行い、得られる結果に基づいてＴＴＬ方式のＡＷＢ処理も行う。
【００３７】
メモリ２０４は、撮像部２０１で撮影した静止画や動画を格納する。このメモリ２０４は、所定の枚数の静止画や所定時間の動画を格納するために十分な記憶量を備えている。また、メモリ２０４は、画像表示・音声出力部２０５に画像を表示し、音声を出力するためのメモリとしての機能も有する。
【００３８】
画像表示・音声出力部２０５は、ＴＦＴ、ＬＣＤ等の画像表示部とスピーカー等の音声出力部から構成され、メモリ２０４に格納された表示用の画像データと音声データが表示・出力される。この画像表示・音声出力部２０５を用いて、撮像された画像を逐次表示して、電子ビューファインダー機能を実現する。
【００３９】
画像・音声符号化部２１２は、Ｙ、Ｃｒ／Ｃｂ形式のデジタル画像信号と、音声入力部２０２より入力した音声信号とともに、例えば、動画であればＭＰＥＧ２、静止画であればＪＰＥＧの規格に基づく、圧縮伸長及び多重化を行う。また、画像・音声符号化部２１２は、メモリ２０４に格納された映像データや音声データを読み込んで圧縮処理あるいは伸長処理を行い、処理を終えた動画／静止画／音声データを再びメモリ２０４に書き込む。
【００４０】
音声入力部２０２は、音声の録音または動画の撮影の音声入力として使われる。システム制御部２１５は、ＤＶＤビデオカメラ２００全体の各種動作を制御する。フラッシュメモリ２０９は、電気的に消去・記録可能な不揮発性メモリであり、光ディスク２１４に関する管理情報を記憶する。
【００４１】
操作部２１０は、各種ボタンやタッチパネルから構成され、メニューボタン、セットボタン、十字ボタン等を使用して、ＤＶＤビデオカメラ２００の撮影機能に関わる設定のすべてを行う。電源制御部２０６は、電源検出回路、ＤＣ−ＤＣコンバータ、通電するブロックを切り替えるスイッチ回路等により構成されている。電源制御部２０６は、電源（バッテリ２０７）の装着の有無、電源の種類、電源残量の検出を行い、その検出結果及びシステム制御部２１５からの指示に基づいて、必要な電圧を必要な期間、ＤＶＤビデオカメラ２００の各種構成要素へ供給する。
【００４２】
バッテリ２０７は、ニッカド電池やリチウムイオン電池等の二次電池である。ＤＣカプラ・バッテリ充電部２０８は、ＤＶＤビデオカメラ２００をカメラアダプタ１００に接続した際に電源ケーブル１０９を介して電力供給を受けて、バッテリ２０７に対して給電を行う。
【００４３】
ＵＳＢ  Ｉ／Ｆ２１１は、カメラアダプタ１００との間で、メディアデータや制御データの送受信を行う通信インタフェースである。本実施形態では、ＵＳＢケーブル１１０での通信を示しているが、ＩＥＥＥ１３９４等の他の通信方法で行ってもよい。その場合、ＵＳＢ  Ｉ／Ｆ２１１は、採用する各々の通信規格に準拠したインタフェースとなることは言うまでもない。
【００４４】
光ディスク２１４は記録メディアであり、例えば、ＤＶＤ−ＲまたＤＶＤ−ＲＷ等である。この光ディスク２１４には、ドライブＩ／Ｆ２１３を介して、撮影した動画あるいは静止画ファイルが書き込まれる。ドライブＩ／Ｆ２１３は、光ディスク２１４に対して動画あるいは静止画ファイルや、その管理情報等を記録再生する回路である。このドライブＩ／Ｆ２１３は、データの記録再生に必要な光ピックアップやシークモータ、スピンドルモータ等の各種モータも含んでいる。
【００４５】
図３は本発明の実施形態のカメラアダプタの詳細を示すブロック構成図である。
【００４６】
図３のカメラアダプタ１００において、電源供給部１０２は、ＤＶＤビデオカメラ２００をカメラアダプタ１００に接続した際に電源ケーブル１０９を介して電力供給を行う。電源供給部１０２は、バッテリ２０７が装着されている状態でＤＶＤビデオカメラ２００がカメラアダプタ１００に接続された場合には、バッテリ２０７の充電のための電力供給を行う。
【００４７】
ＵＳＢ  Ｉ／Ｆ１０３は、ＤＶＤビデオカメラ２００との間でメディアデータや制御データの送受信を行う通信インタフェースである。フラッシュメモリ１０６は、電気的に消去・記録可能な不揮発性メモリである。
【００４８】
操作部１０７は、各種ボタンやタッチパネルから構成される。操作部１０７を操作することで、ＤＶＤビデオカメラ２００の光ディスク２１４上の動画あるいは静止画ファイルをカメラアダプタ１００のＣＦカード１０８にコピーすることができる。また、操作部１０７を操作することで、無線ＬＡＮ  Ｉ／Ｆ１０４、無線アクセスポイント６００、ＬＡＮ７００を介してディスプレイアダプタ端末３００へメディアデータを転送することができる。このように、操作部１０７を操作することで、カメラアダプタ１００で実現される各種機能の動作の開始を実行することができる。
【００４９】
ＣＦカード１０８は記録メディアの１つである。このＣＦカード１０８には、ＤＶＤビデオカメラ２００で撮影した動画あるいは静止画が、ＵＳＢケーブル１１０による通信によりＵＳＢ  Ｉ／Ｆ１０３、ＣＦ  Ｉ／Ｆ１０５を介して書込まれる。また、このＣＦカード１０８上で書き込まれた動画あるいは静止画ファイルを、ＰＣ等の情報端末（コンピュータ）によるアクセス可能なＵＤＦファイル管理システムフォーマットに展開して仮想的なディスクドライブ（ディスクイメージ）としてマウントする。そして、マウントされたディスクドライブ上の動画あるいは静止画ファイルをＣＦ  Ｉ／Ｆ１０５、無線ＬＡＮ  Ｉ／Ｆ１０４、無線アクセスポイント６００、ＬＡＮ７００を介して、ディスプレイアダプタ端末３００へ転送を行う。
【００５０】
尚、ＣＦカード１０８は、ＳＤカードやマイクロドライブ等の他の記録メディアにすることもできる。その場合、ＣＦ  Ｉ／Ｆ１０５は各々の記録メディアの規格に準拠したインタフェースとなる。
【００５１】
無線ＬＡＮ  Ｉ／Ｆ１０４は、アンテナ部１１１により無線アクセスポイント６００との無線通信の適応化を測る。システム制御部１０１は、カメラアダプタ１００全体の動作を制御し、電源供給部１０２、ＵＳＢ  Ｉ／Ｆ１０３、ＣＦ  Ｉ／Ｆ１０５、無線ＬＡＮ  Ｉ／Ｆ１０４の各構成要素に対して検知や指示を行う。
【００５２】
尚、ＬＡＮ７００に接続される、カメラアダプタ１００、無線アクセスポイント６００、ディスプレイアダプタ端末３００、プリンタ端末５００及びストレージサーバ４００等の端末の構成数は、図１に示す構成数に限定されるものではない。ＩＰアドレス等の識別情報で、ＬＡＮ７００上の各種端末を識別できる構成であれば、その構成数に制限はない。
【００５３】
また、ＬＡＮ７００以外にも、送受信されるメディアデータや制御データを送受信するための十分な帯域がある通信回線であれば、インターネットやイントラネット等のネットワークを利用することも可能である。また、ディスプレイアダプタ端末３００は、例えば、ＰＣ、携帯電話やＰＤＡ等の携帯情報端末、ネットワーク対応テレビ等を想定している。従って、ＬＡＮ７００への物理的な接続形態としては、有線だけでなく無線の場合もありうるが、プロトコル的に接続されていれば、物理的な形態にこだわるものではない。
【００５４】
次に、メディアデータ配信システムの動作について説明する。
【００５５】
ここでは、ＤＶＤビデオカメラ２００をカメラアダプタ１００に接続してから、データ受信端末として機能するディスプレイアダプタ端末３００、プリンタ端末５００及びストレージサーバ４００からの操作をＬＡＮ７００を経由して行う。この操作により、ＤＶＤビデオカメラ２００の光ディスク２１４に記録されている動画あるいは静止画ファイルをディスプレイアダプタ端末３００に表示したり、プリンタ端末５００で印刷したり、ストレージサーバ４００に蓄積したりすることができる。
【００５６】
ここでは、ＤＶＤビデオカメラ２００での撮影に使用する光ディスク２１４は、ＤＶＤ−ＲまたはＤＶＤ−ＲＷを使用し、ＤＶＤ−Ｖｉｄｅｏフォーマットにて動画を記録するものとする。撮影は、操作部２１０の１つであるモードスイッチにより録画モードにして、録画開始・停止スイッチの操作により開始し、そして停止する。この一連の操作が、ワンカット毎の操作となる。これに平行して、静止画撮影ボタンを押すことによって、静止画の撮影も同時に行う。
【００５７】
撮影停止後、モードスイッチを再生モードに切り替えることによって、ＤＶＤビデオカメラ２００の画像表示・音声出力部２０５にて、動画の場合にはワンカット毎に、静止画は撮影毎に１つのファイルとしてメニュー表示される。次に、選択・再生ボタンを押すことによって、選択された動画あるいは静止画ファイルが画像表示・音声出力部２０５上で再生される。
【００５８】
尚、光ディスク２１４は、ＤＶＤ−Ｒで記録する場合とＤＶＤ−ＲＷで記録する場合がある。ＤＶＤ−Ｒの場合はライトワンスの記録メディアであるため、映像データはシーケンシャルに記録される。一方、ＤＶＤ−ＲＷの場合は上書き可能な記録メディアであるが、未記録領域に映像データを記録する場合には、映像データはシーケンシャルに記録される。
【００５９】
次に、ＤＶＤ−Ｒに映像データを記録する場合の処理フローについて、図４を用いて説明する。
【００６０】
図４は本発明の実施形態のＤＶＤ−Ｒに映像データを記録する場合の処理フローを示す図である。
【００６１】
ＤＶＤ−Ｒでの記録においては、一度に書き込むエリアが最大３つまでとされており、このエリアはＲ  ｚｏｎｅと呼ばれ、この各Ｒ  ｚｏｎｅは、図７で示したＰＭＡで管理する。動画データを記録するに当たって、まず始めにＲ  ｚｏｎｅを予約する。このＲ  ｚｏｎｅの予約は、ＰＣ等の情報端末におけるファイル管理システムの制御情報であるＵＤＦ領域と、映像データ記録エリアに記録された映像データ全体を管理する制御情報であるＶＭＧ領域を形成するＲ  ｚｏｎｅ  １の領域を予約する。また、映像データ記録エリアを記録する未記録領域に、最初のＶＴＳのＶＴＳＩ、ＶＴＳＭ＿ＶＯＢＳを形成するＲ  ｚｏｎｅ  ２を予約する。更に、残る未記録領域をＩｎｖｉｓｉｂｌｅ  Ｒ  ｚｏｎｅの領域として予約する（Ｓ１）。
【００６２】
その後、映像データを、Ｉｎｖｉｓｉｂｌｅ  Ｒ  ｚｏｎｅの先頭より順次記録することによって映像データの実データであるＶＴＳＴＴ＿ＶＯＢＳを形成する。さらに、ＤＶＤビデオカメラ２００の操作部２１０からの操作により、１つのタイトルについての映像データの記録を終了させると、この実データであるＶＴＳＴＴ＿ＶＯＢＳ後に続いてＶＴＳＩ＿ＢＵＰを記録する（Ｓ２）。また、先頭側に戻り、Ｒ  ｚｏｎｅ  ２に、ＶＴＳＩ、ＶＴＳＭ＿ＶＯＢＳを形成し（Ｓ３）、Ｒ  ｚｏｎｅ  ２を閉じる。これにより、１つのＶＴＳ１をＤＶＤ−Ｒ上に記録する。
【００６３】
続けて、次のタイトルを記録する場合には、残りの未記録領域にＲ  ｚｏｎｅ  ３を予約し、続いて、映像データの実データであるＶＴＳＴＴ＿ＶＯＢＳを形成した後、ＶＴＳＩ＿ＢＵＰを形成する（Ｓ４）。ここで、また１つのタイトルについての映像データの記録を終了させるとすると同様に、Ｒ  ｚｏｎｅ  ３にＶＴＳＩ、ＶＴＳＭ＿ＶＯＢＳを形成して新たなＶＴＳを形成する。これにより、順次、ＶＴＳを記録していくことになる（Ｓ５）。
【００６４】
ここで、ＤＶＤ−Ｒに記録された映像データをＬＡＮ７００を経由して、データ受信端末からの操作により、データ受信端末で表示／印刷／蓄積する場合には、ＤＶＤビデオカメラ２００とカメラアダプタ１００とをＵＳＢケーブル１１０で接続する。ここでのデータ受信端末は、ディスプレイアダプタ端末３００、プリンタ端末５００あるいはストレージサーバ４００である。
【００６５】
次に、ＤＶＤビデオカメラ２００をカメラアダプタ１００に接続させてディスプレイアダプタ端末３００に映像データを転送させるまでの各端末間における動作シーケンスについて、図６を用いて説明する。
【００６６】
尚、図６では、ディスプレイアダプタ端末３００に映像データを転送させるまでの動作シーケンスを説明するものであるが、転送先がストレージサーバ４００あるいはプリンタ端末５００である場合も、同様の動作シーケンスを適用可能である。
【００６７】
この時のＤＶＤ−Ｒの記録状態は、図４のＳ４の状態である。ＤＶＤビデオカメラ２００とＵＳＢケーブル１１０で接続したカメラアダプタ１００は、ＵＳＢ  Ｉ／Ｆ１０３によりその接続を検知する。ＤＶＤビデオカメラ２００との接続を検知したカメラアダプタ１００は、ＤＶＤ−Ｒ上の画像データセットの転送をＤＶＤビデオカメラ２００に対して要求する。
【００６８】
これを受けて、ＤＶＤビデオカメラ２００は、ＤＶＤ−Ｒ上で予約された領域にＶＴＳＩ、ＶＴＳＭ＿ＶＯＢＳを形成してＶＴＳのデータセットを形成する（図４のＳ５）。この時のＤＶＤ−Ｒに関する管理情報であるＵＤＦとＶＭＧは、フラッシュメモリ２０９に保持してある。この状態で、ＤＶＤビデオカメラ２００は、データセットをドライブＩ／Ｆ２１３より読み込み、ＵＳＢ  Ｉ／Ｆ２１１からＵＳＢケーブル１１０を経由して、カメラアダプタ１００へ転送する。カメラアダプタ１００のシステム制御部１０１は、受信したデータセットを、ＣＦカード１０８へ書き込む（図４のＳ６）。
【００６９】
データセットの書き込みの完了後、カメラアダプタ１００は、書き込んだデータセットに対応する管理情報であるＵＤＦとＶＭＧの転送をＤＶＤビデオカメラ２００に要求する。
【００７０】
これを受けて、ＤＶＤビデオカメラ２００は、フラッシュメモリ２０９に保持してある管理情報であるＵＤＦとＶＭＧをカメラアダプタ１００に転送する。カメラアダプタ１００のシステム制御部１０１は、ＣＦカード１０８上でデータ配列（図４のＳ７）を行い、ＤＶＤビデオカメラ２００のＤＶＤ−Ｒを仮想的にファイナライズすることに相当する、仮想ファイナライズ処理を実行する。これにより、カメラアダプタ１００のＣＦカード１０８上で仮想的にファイナライズ処理されたＤＶＤ−Ｒの画像ファイルとして、ディスプレイアダプタ端末３００がアクセス可能な状態になる。
【００７１】
このようにして、アクセスできるようにした動画あるいは静止画ファイルは、動画ファイルはＭＰＥＧ２ＰＳに変換後、ＤＬＮＡのＤＭＳの機能であるＣｏｎｔｅｎｔＤｉｒｅｃｔｏｒｙサービスに基づきリスト表示（画像ファイルリストが生成）される。そして、ＬＡＮ７００を通じて、ディスプレイアダプタ端末３００からの操作により、画像ファイルリスト要求を受信すると、カメラアダプタ１００は、画像ファイルリストをディスプレイアダプタ端末３００へ転送する。
【００７２】
更に、ディスプレイアダプタ端末３００から、画像ファイルリストに基づく画像ファイル転送の要求を受信すると、カメラアダプタ１００は、要求された画像ファイルをディスプレイアダプタ端末３００へ転送する。
【００７３】
このようにして、カメラアダプタ１００のＣＦカード１０８上の画像ファイルを、ディスプレイアダプタ端末に対してアクセス可能にすることができる。
【００７４】
再び、ＤＶＤビデオカメラ２００による撮影を行う場合には、カメラアダプタ１００の操作部１０７を操作して、ＤＶＤビデオカメラ２００をカメラアダプタ１００から切断することをＤＶＤビデオカメラ２００に通知し、許可させる。これにより、ＤＶＤビデオカメラ２００をカメラアダプタ１００から外し、上記と同様の手順で図４のＳ５の状態から撮影した画像のＤＶＤ−Ｒへの記録が可能となる。
【００７５】
次に、ＤＶＤ−ＲＷに映像データを記録する場合の処理フローについて、図５を用いて説明する。
【００７６】
図５は本発明の実施形態のＤＶＤ−ＲＷに映像データを記録する場合の処理フローを示す図である。
【００７７】
ＤＶＤ−ＲＷでの記録においては、ＵＤＦ、ＶＭＧ、最初のタイトルのＶＴＳＩ、ＶＴＳＭ＿ＶＯＢＳの記録領域をＰａｄｄｉｎｇ（パディング）により事前に確保する（図５のＳ１１）。ここで、Ｐａｄｄｉｎｇとは、ダミーデータを記録することによって領域を確保することである。これらの記録領域を確保した後、映像データの実データであるＶＴＳＴＴ＿ＶＯＢＳを形成する。次に、ＤＶＤビデオカメラ２００の操作部２１０からの操作により１つのタイトルについての映像データの記録を終了させるとすると、この実データであるＶＴＳＴＴ＿ＶＯＢＳの後に続いてＶＴＳＩ＿ＢＵＰを記録する。さらに、続くタイトルのためのＶＴＳＩ、ＶＴＳＭ＿ＶＯＢＳの記録領域をパディングによりを確保する（図５のＳ１２）。
【００７８】
続いて、先頭側に戻って、この映像データの記録に対応するＶＴＳＩ、ＶＴＳＭ＿ＶＯＢＳを形成する（図５のＳ１３）。これにより、１つのＶＴＳをＤＶＤ−ＲＷ上に記録する。
【００７９】
続けて、次のタイトルについての映像データを記録する場合には、直前のＶＴＳを形成する際にパディングにより確保した記録領域に続いて映像データの実データであるＶＴＳＴＴ＿ＶＯＢＳ、ＶＴＳＩ＿ＢＵＰを形成する。また、次のタイトルのためのＶＴＳＩ、ＶＴＳＭ＿ＶＯＢＳ記録領域をパディングにより確保する（図５のＳ１４）。続いて、ＶＴＳＩ、ＶＴＳＭ＿ＶＯＢＳを形成して、同様にして、順次ＶＴＳを記録していく（図５のＳ１５）。
【００８０】
ここで、ＤＶＤ−ＲＷに記録された映像データをＬＡＮ７００を経由して、データ受信端末からの操作により、データ受信端末で表示／印刷／蓄積する場合には、ＤＶＤビデオカメラ２００とカメラアダプタ１００とをＵＳＢケーブル１１０で接続する。ここでのデータ受信端末は、ディスプレイアダプタ端末３００、プリンタ端末５００あるいはストレージサーバ４００である。
【００８１】
次に、ＤＶＤビデオカメラ２００をカメラアダプタ１００に接続させてディスプレイアダプタ端末３００に映像データを転送させるまでの各端末間における動作シーケンスについて、図６を用いて説明する。
【００８２】
この時のＤＶＤ−ＲＷの記録状態は、図５のＳ１４の状態である。ＤＶＤビデオカメラ２００とＵＳＢケーブル１１０で接続したカメラアダプタ１００は、ＵＳＢ  Ｉ／Ｆ２１１によりその接続を検知する。ＤＶＤビデオカメラ２００との接続を検知したカメラアダプタ１００は、ＤＶＤ−ＲＷ上の画像データセットの転送をＤＶＤビデオカメラ２００に対して要求する。
【００８３】
これを受けて、ＤＶＤビデオカメラ２００は、ＤＶＤ−ＲＷ上で映像データの実データであるＶＴＳＴＴ＿ＶＯＢＳの直前のパディング領域にＶＴＳＩ、ＶＴＳＭ＿ＶＯＢＳを形成してＶＴＳのデータセットを形成する（図５のＳ１５）。この時のＤＶＤ−ＲＷに関する管理情報であるＵＤＦとＶＭＧは、フラッシュメモリ２０９に保持してある。この状態で、ＤＶＤビデオカメラ２００は、データセットをドライブＩ／Ｆ２１３より読み込み、ＵＳＢ  Ｉ／Ｆ２１１からＵＳＢケーブル１１０を経由して、カメラアダプタ１００へ転送する。カメラアダプタ１００のシステム制御部１０１は、受信したデータセットをＣＦカード１０８へ書き込む（図５のＳ１６）。
【００８４】
データセットの書き込みの完了後、カメラアダプタ１００は、書き込んだデータセットに対応する管理情報であるＵＤＦとＶＭＧの転送をＤＶＤビデオカメラ２００に要求する。
【００８５】
これを受けて、ＤＶＤビデオカメラ２００は、フラッシュメモリ２０９に保持してある管理情報であるＵＤＦとＶＭＧをカメラアダプタ１００に転送する。カメラアダプタ１００のシステム制御部１０１は、ＣＦカード１０８上でデータ配列（図５のＳ１７）を行い、ＤＶＤビデオカメラ２００のＤＶＤ−ＲＷを仮想的にファイナライズすることに相当する、仮想ファイナライズ処理を実行する。カメラアダプタ１００のＣＦカード１０８上で仮想的にファイナライズ処理されたＤＶＤ−ＲＷの画像ファイルとして、ディスプレイアダプタ端末３００がアクセス可能な状態になる。
【００８６】
このようにして、アクセスできるようにした動画あるいは静止画ファイルは、動画はＭＰＥＧ２ＰＳに変換後、ＤＬＮＡのＤＭＳの機能としてＣｏｎｔｅｎｔＤｉｒｅｃｔｏｒｙサービスに基づきリスト表示（画像ファイルリストが生成）される。そして、ＬＡＮ７００を通じて、ディスプレイアダプタ端末３００からの操作により、画像ファイルリスト要求を受信すると、カメラアダプタ１００は、画像ファイルリストをディスプレイアダプタ端末３００へ転送する。
【００８７】
更に、ディスプレイアダプタ端末３００から、画像ファイルリストに基づく画像ファイル転送の要求を受信すると、カメラアダプタ１００は、要求された画像ファイルをディスプレイアダプタ端末３００へ転送する。
【００８８】
このようにして、カメラアダプタ１００のＣＦカード１０８上の画像ファイルを、ディスプレイアダプタ端末に対してアクセス可能にすることができる。
【００８９】
再び、ＤＶＤビデオカメラ２００による撮影を行う場合には、カメラアダプタ１００の操作部１０７を操作して、ＤＶＤビデオカメラ２００をカメラアダプタ１００から切断することをＤＶＤビデオカメラ２００に通知し、許可させる。これにより、ＤＶＤビデオカメラ２００をカメラアダプタ１００から外し、上記と同様の手順で図５のＳ１５の状態から撮影した画像のＤＶＤ−ＲＷへの記録が可能となる。
【００９０】
以上の処理によって、ＤＶＤビデオカメラ２００の光ディスク２１４に記録されている動画あるいは静止画データを、ＬＡＮ７００経由でデータ受信端末へ転送することができる。この時、ＤＶＤビデオカメラ２００で撮影した映像データを長期保存したい場合には、カメラアダプタ１００のＣＦカード１０８上でＤＶＤビデオカメラ２００に装着している光ディスク２１４上の映像データのファイル管理システムを仮想的に展開する。その後、データ受信端末からの操作により、システム制御部１０１からＵＳＢ  Ｉ／Ｆ１０３、ＵＳＢケーブル１１０、ＤＶＤビデオカメラ２００のＵＳＢ  Ｉ／Ｆ２１１を介してドライブＩ／Ｆ２１３にファイナライズ処理の実行指示を送信する。
【００９１】
このような処理を実行することによって、データ受信端末から映像データにアクセスできると同時に平行して、ＤＶＤビデオカメラ２００上でのファイナライズ処理の実行が可能となり作業時間の浪費を省くことができる。
【００９２】
以上説明したように、本実施形態によれば、ＤＶＤビデオカメラで撮影した画像ファイルをＬＡＮを経由してネットワークメディアプレーヤーで再生させようとする場合には、次の処理を実行する。ＤＶＤ−Ｖｉｄｅｏフォーマットで記録された光ディスクに対してファイナライズ処理を行わずに、ＤＶＤビデオカメラをＤＭＳ機能を持つカメラアダプタ光ディスク上のメディアデータに転送する。そして、カメラアダプタ内のメモリ上に仮想的にファイナライズ処理されたＤＶＤ−Ｖｉｄｅｏフォーマットのファイル管理システムを展開する。
【００９３】
これにより、簡単にかつ迅速に動画あるいは静止画ファイルを、ＬＡＮ上のネットワークメディアプレーヤーで再生させることができる。
【００９４】
また、ＤＶＤビデオカメラの撮影で使用する記録メディアをライトワンスの書換不能の記録メディアを使用しても、ファイナライズ処理を行うことがないため、記録容量に余裕がある場合には再びまた記録に使用することができるようになる。
【００９５】
尚、上記実施形態では、ディスク記憶媒体として、ＤＶＤ−ＲあるいはＤＶＤ−ＲＷを例に挙げて説明しているが、ファイナライズ処理が必要なディスク記憶媒体であれば、本願発明を同様に適用することができる。このディスク記憶媒体には、例えば、ＣＤ−Ｒ、ブルーレイディスク等がある。
【００９６】
以上、実施形態例を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００９７】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【００９８】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００９９】
その場合、プログラムの機能を有していれば、オブジェクトコード、インタプリタにより実行されるプログラム、ＯＳに供給するスクリプトデータ等の形態であっても良い。
【０１００】
プログラムを供給するための記録媒体としては、例えば、フロッピー（登録商標）ディスク、ハードディスク、光ディスクがある。また、更に、記録媒体としては、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１０１】
その他、プログラムの供給方法としては、クライアントコンピュータのブラウザを用いてインターネットのホームページに接続する。そして、その接続先のホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１０３】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行い、その処理によっても前述した実施形態の機能が実現され得る。
【０１０４】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１０５】
【図１】本発明の実施形態のメディアデータ配信システムのネットワーク接続構成図である。
【図２】本発明の実施形態のＤＶＤビデオカメラの詳細を示すブロック構成図である。
【図３】本発明の実施形態のカメラアダプタの詳細を示すブロック構成図である。
【図４】本発明の実施形態のＤＶＤ−Ｒに映像データを記録する場合の処理フローを示す図である。
【図５】本発明の実施形態のＤＶＤ−ＲＷに映像データを記録する場合の処理フローを示す図である。
【図６】本発明の実施形態のＤＶＤビデオカメラをカメラアダプタに接続させてディスプレイアダプタ端末に映像データを転送させるまでの各端末間における動作シーケンスを示す図である。
【図７】ＤＶＤ−Ｖｉｄｅｏフォーマットのデータ配列を示す図である。
【符号の説明】
【０１０６】
１００  カメラアダプタ
２００  ＤＶＤビデオカメラ
３００  ディスプレイアダプタ端末
３０１  ディスプレイ
３０２  リモートコントローラ
４００  ストレージサーバ
５００  プリンタ端末
６００  無線アクセスポイント
７００  ＬＡＮ
１０１  システム制御部
１０２  電源供給部
１０３  ＵＳＢ  Ｉ／Ｆ
１０４  無線ＬＡＮ  Ｉ／Ｆ
１０５  ＣＦカード  Ｉ／Ｆ
１０６  フラッシュメモリ
１０７  操作部
１０８  ＣＦカード
１０９  電源ケーブル
１１０  ＵＳＢケーブル
１１１  アンテナ部
【図１】
2008300985.tif 000003
【図２】
2008300985.tif 000004
【図３】
2008300985.tif 000005
【図４】
2008300985.tif 000006
【図５】
2008300985.tif 000007
【図６】
2008300985.tif 000008
【図７】
2008300985.tif 000009